(57)【要約】【課題】ビルの壁面や駅など公共のスペースで発信される発信データを有効に処理できるモバイルコンピューティングシステムなどを提供する。【解決手段】広告データを送信する広告送信サーバと、広告送信サーバから広告データを受信する受信サーバと、受信サーバが受信した広告データを表示するディスプレイと、ディスプレイから発信された広告データに含まれる仮データを読み込んだ携帯電話に対して、本データ及びＵＲＬデータを送信するポータルサイトサーバ又はデータサーバと、ポータルサイトサーバまたはデータサーバから本データ及びＵＲＬデータを受信した携帯電話に対して情報データを送信し、ＵＲＬデータが示すネットワークアドレスを有するＥＣサイトサーバと、を備えたことを特徴とするモバイルコンピューティングシステムである。【選択図】図１
2007305081.tif 000002
【特許請求の範囲】
【請求項１】
発信データを送信する送信装置と、
前記送信装置から発信データを受信する受信装置と、
前記受信装置が受信した発信データを発信する発信装置と、
前記発信装置から発信された発信データに含まれる仮データを読み込んだ携帯端末に対して、本データ及びＵＲＬデータを送信する支援装置と、
前記支援装置から本データ及びＵＲＬデータを受信した携帯端末に対して情報データを送信し、前記ＵＲＬデータが示すネットワークアドレスを有する情報装置と、
を備えたことを特徴とするモバイルコンピューティングシステム。
【請求項２】
発信データを送信する送信装置と、
前記送信装置から発信データを受信する受信装置と、
前記受信装置が受信した発信データを発信する発信装置と、
前記発信装置から発信された発信データに含まれる仮データを携帯端末に送信し、かつ、前記携帯端末から固体識別番号を読み込む通信装置と、
前記通信装置から前記携帯端末の固体識別番号を受信し、この受信した固体識別番号に対応させて前記発信装置から発信された発信データの発信データＩＤを記憶し、前記携帯端末から固体識別番号とユーザＩＤとパスワードとを受信した場合に、前記固体識別番号に対応させて前記発信データＩＤと前記ユーザＩＤと前記パスワードとを記憶し、固定端末から前記ユーザＩＤと前記パスワードとを受信した場合に、前記ユーザＩＤと前記パスワードとに対応させて記憶している発信データＩＤをキーとして取得されるデータを前記固定端末に送信する、支援装置と、
を備えたことを特徴とするモバイルコンピューティングシステム。
【請求項３】
発信データが記憶された発信データ記憶部と、
前記発信データ記憶部における前記発信データのアドレスと時刻データとを対応させて記憶するタイムテーブル記憶部と、
前記タイムテーブル記憶部から、時刻データに対応するアドレス及び時刻データに対応しないアドレスをそれぞれ読み込むアドレス読込部と、
前記アドレス読込部で読み込んだ複数のアドレスから発信データをそれぞれ読み込む発信データ読込部と、
前記発信データ読込部で読み込んだ複数の発信データのそれぞれに対して、第1識別データまたは第２識別データをそれぞれ付与する識別データ付与部と、
前記識別データ付与部で第1識別データまたは第２識別データがそれぞれ付与された複数の発信データを、前記第1識別データが付与された発信データについては発信装置の第1発信手段から発信させ前記第２識別データが付与された発信データについては発信装置の第２発信手段から発信させる受信装置に対して、送信する送信部と、
を具備することを特徴とする送信装置。
【請求項４】
発信データが記憶された発信データ記憶部と、
前記発信データ記憶部に記憶された発信データのアドレスと発信時間を示すショウタイムデータとを対応させて記憶するショウタイムテーブル記憶部と、
前記ショウタイムテーブル記憶部から、発信データのアドレスとショウタイムデータとを対応させて読み込むショウタイム読込部と、
前記ショウタイム読込部で読み込んだショウタイムデータが示す発信時間だけ、前記ショウタイム読込部で読み込んだ発信データを送信するショウタイム送信部と、
を具備することを特徴とする送信装置。
【請求項５】
メイン画面と、
前記メイン画面の左、右、上、及び下の少なくとも一方に配置された1以上のサブ画面と、
受信装置から出力された複数の発信データのうち、第1識別データが付与されている発信データを前記メイン画面に表示し、第２識別データが付与されている発信データを前記サブ画面に表示する、
ことを特徴とする発信装置。
【請求項６】
発信装置から発信された発信データに含まれる仮データを読み込んだ携帯端末に対して、本データ及びＵＲＬデータを送信することを特徴とする支援装置。
【請求項７】
前記本データ及びＵＲＬデータと位置データとを対応させて記憶する本データ記憶手段と、
前記携帯端末の位置を示す位置データを受信する位置データ受信手段と、
前記本データ記憶手段から、前記位置データ受信手段で受信した位置データに対応する本データ及びＵＲＬデータを読み込む本データ読込手段と、
を具備することを特徴とする請求項６に記載の支援装置。
【請求項８】
前記位置データを前記携帯端末に送信する位置データ送信手段を具備することを特徴とする請求項７に記載の支援装置。
【請求項９】
支援装置から本データ及びＵＲＬデータを受信した携帯端末に対して情報データを送信し、前記ＵＲＬデータが示すネットワークアドレスを有することを特徴とする情報装置。
【請求項１０】
前記携帯端末から、前記携帯端末が送信するデータを中継する基地局の基地局ＩＤ及び位置データの少なくとも一方を受信する受信手段と、
基地局ＩＤ及び位置データの少なくとも一方を前記受信手段で受信した場合に、受信回数をカウントするカウント手段と、
を具備することを特徴とする請求項９に記載の情報装置。
【請求項１１】
クライアントコンピュータに広告可能日時データ及び広告可能位置データを送信する第１送信手段と、
前記クライアントコンピュータが前記広告可能日時データの中から選択した広告日時データ、及び前記クライアントコンピュータが前記広告可能位置データの中から選択した広告位置データを、前記クライアントコンピュータから受信する第1受信手段と、
前記第1受信手段による受信後、基礎情報データの入力フォーマットデータを前記クライアントコンピュータに送信する第２送信手段と、
前記クライアントコンピュータから基礎情報データを受信する第２受信手段と、
前記第２受信手段で前記基礎情報データを受信した場合に、予約完了通知データを前記クライアントコンピュータに送信する第３送信手段と、
を具備することを特徴とする入稿装置。
【請求項１２】
第１のＵＲＬデータを携帯端末に取り込ませることが可能な通信装置と、
前記通信装置から第1のＵＲＬデータを取り込んだ携帯端末に対して、本データ及び第２のＵＲＬデータを送信し、前記第1のＵＲＬデータが示すネットワークアドレスを有する支援装置と、
前記支援装置から本データ及び第２のＵＲＬデータを受信した携帯端末に対して情報データを送信し、前記第２のＵＲＬデータが示すネットワークアドレスを有する情報装置と、
を備えたことを特徴とするモバイルコンピューティングシステム。
【請求項１３】
発信装置から発信された発信データに含まれる第１のＵＲＬデータを取り込んだ携帯端末に対して、本データ及び第２のＵＲＬデータを送信し、前記第1のＵＲＬデータが示すネットワークアドレスを有する支援装置と、
前記支援装置から本データ及び第２のＵＲＬデータを受信した携帯端末に対して情報データを送信し、前記第２のＵＲＬデータが示すネットワークアドレスを有する情報装置と、
を備えたことを特徴とするモバイルコンピューティングシステム。
【発明の詳細な説明】
【技術分野】
【０００１】
本発明は、携帯端末を用いたコンピューティングを可能とするモバイルコンピューティングシステムに関する。
【背景技術】
【０００２】
従来より、ビルの壁面や駅など公共のスペースに設置された巨大なディスプレイを利用した電子広告システムが提案されている。従来は、この巨大なディスプレイに表示された電話番号やＵＲＬ ( U n i f o r m R e s o u r c e L o c a t i o n )を携帯電話に取り込んで、広告に関連する情報をネットワーク上のサーバから携帯電話にダウンロードしたりしていた（特許文献１参照）。
【特許文献１】特開２００５−３１００１７号公報
【発明の開示】
【発明が解決しようとする課題】
【０００３】
しかしながら、現在は、ネットワーク上に存在する情報が多くなり、携帯電話の画面から検索などして情報を掌握することが困難であり、モバイルコンピューティングの妨げとなっている。また、ディスプレイに表示された画像データなどをとりあえずメモしておきたい場合などに、データ量が大きなデータを携帯電話で受信すると、携帯電話に不要な負荷を掛けることとなり、携帯電話の動作が不安定となる。このように、現在は、ビルの壁面や駅など公共のスペースで発信される発信データを有効に処理できるモバイルコンピューティングシステムが開発されていないという問題があった。このため、従来は、たとえばビル上部にある大型LED画面と携帯電話の連携が困難であった。
そこで、本発明は、ビルの壁面や駅など公共のスペースで表示されるデータを有効に処理できるモバイルコンピューティングシステム、及び、このモバイルコンピューティングシステムで利用される送信装置、発信装置、支援装置、情報装置、入稿装置を提供することを目的とする。
【課題を解決するための手段】
【０００４】
本発明によれば、上記課題は、次の手段により解決される。
【０００５】
本発明は、発信データを送信する送信装置と、前記送信装置から発信データを受信する受信装置と、前記受信装置が受信した発信データを発信する発信装置と、前記発信装置から発信された発信データに含まれる仮データを読み込んだ携帯端末に対して、本データ及びＵＲＬデータを送信する支援装置と、前記支援装置から本データ及びＵＲＬデータを受信した携帯端末に対して情報データを送信し、前記ＵＲＬデータが示すネットワークアドレスを有する情報装置と、を備えたことを特徴とするモバイルコンピューティングシステムである。
本発明によれば、発信装置から発信された発信データを携帯端末で読み込まずとも、支援装置から携帯端末に本データが送信され、携帯端末は、この本データにより情報装置にアクセスするために必要な情報を取得できる。したがって、発信データのデータ量が大きい場合であっても、これを一度に携帯端末に取り込む必要がなく、より詳細な情報を得たい場合にだけ、これを支援装置から得ることができる。よって、本発明によれば、不必要な情報を携帯端末に取り込む必要がなくなり、携帯端末におけるデータ処理の負荷を軽減することができる。
なお、携帯端末に「発信装置から発信された発信データに含まれる仮データを読み込」むとは、発信装置の周辺に設置された通信装置に携帯端末を接触又は非接触させて携帯端末に読み込むほか、発信装置から発信された発信データに含まれるコードがカメラやボタンなどを介して携帯端末に取り込まれる場合などを含む。
また、「発信装置」には、画面やスピーカーやポスターや駅の案内板などが含まれる。
また、「発信データ」には画像や音声や文字や記号などが含まれ、「仮データ」には画像や音声で示される情報の一部に対応するデータが含まれ、「本データ」には画像や音声で示される情報に対応するデータが含まれる。「仮データ」は「発信データ」よりもデータ量が小さいが、「本データ」は「発信データ」よりも大きくても小さくてもよく、また同じであってもよい。なお、「情報データ」とは、発信装置から発信された発信データに関連する情報を示すデータのほか、発信データの発信主が提供する種々の情報を示すデータが含まれる。
また、「ＵＲＬデータ」は、ＵＲＬに対応するＩＰアドレスなどのネットワークアドレスを示す。
また、「携帯端末」とは、携帯電話やＰＨＳ（Ｐｅｒｓｏｎａｌ  Ｈａｎｄｙｐｈｏｎｅ  Ｓｙｓｔｅｍ）やPDA（ｐｅｒｓｏｎａｌ  ｄｉｇｉｔａｌ  ａｓｓｉｓｔａｎｔ)のほか、通信機能を有するデジタルカメラやデジタルビデオカメラ、ＩＣカードなども含まれる。
【０００６】
本発明の他の形態は、発信データを送信する送信装置と、前記送信装置から発信データを受信する受信装置と、前記受信装置が受信した発信データを発信する発信装置と、前記発信装置から発信された発信データに含まれる仮データを携帯端末に送信し、かつ、前記携帯端末から固体識別番号を読み込む通信装置と、前記通信装置から前記携帯端末の固体識別番号を受信し、この受信した固体識別番号に対応させて前記発信装置から発信された発信データの発信データＩＤを記憶し、前記携帯端末から固体識別番号とユーザＩＤとパスワードとを受信した場合に、前記固体識別番号に対応させて前記発信データＩＤと前記ユーザＩＤと前記パスワードとを記憶し、固定端末から前記ユーザＩＤと前記パスワードとを受信した場合に、前記ユーザＩＤと前記パスワードとに対応させて記憶している発信データＩＤをキーとして取得されるデータを前記固定端末に送信する、支援装置と、を備えたことを特徴とするモバイルコンピューティングシステムである。
本発明によれば、発信装置から送信された発信データに関連する情報を携帯端末を介して支援装置に記憶させ、この記憶させた情報を固定端末から取り出すことができる。したがって、本発明によれば、発信装置から送信された発信データに関連する情報を、固定端末から容易に閲覧できるコンピューティングシステムを構築することができる。
ここで、携帯端末の「固体識別番号」には、携帯端末ごとに割り当てられた、携帯端末のメモリに記憶されているすべての番号が含まれる。
また、「通信装置」には、携帯端末に接触させて携帯端末と通信を行う装置のほか、携帯端末と非接触で通信を行う装置も含まれる。
また、「発信データＩＤをキーとして取得されるデータ」は、支援装置の記憶手段において発信データＩＤと対応させて記憶されていてもよいし、支援装置とは別個に設けられたＤＢ（Ｄａｔａ  Ｂａｓｅ）において発信データＩＤと対応させて記憶されていてもよい。支援装置の記憶手段に記憶されている場合には、たとえば、発信データＩＤをキーとして記憶手段を検索し、発信データＩＤに対応して記憶されている発信データを取得する。また、支援装置とは別個に設けられたＤＢに記憶されている場合には、たとえば、支援装置から発信データＩＤを当該ＤＢに送信し、当該ＤＢ内で発信データＩＤをキーとして検索を行い、当該ＤＢが、発信データＩＤに対応して記憶されている発信データを取得して、支援装置に返信する。
また、「携帯端末」とは、携帯電話やＰＨＳ（Ｐｅｒｓｏｎａｌ  Ｈａｎｄｙｐｈｏｎｅ  Ｓｙｓｔｅｍ）やPDA（ｐｅｒｓｏｎａｌ  ｄｉｇｉｔａｌ  ａｓｓｉｓｔａｎｔ)のほか、通信機能を有するデジタルカメラやデジタルビデオカメラ、ＩＣカードなども含まれる。
【０００７】
また、本発明の他の形態は、発信データが記憶された発信データ記憶部と、前記発信データ記憶部における前記発信データのアドレスと時刻データとを対応させて記憶するタイムテーブル記憶部と、前記タイムテーブル記憶部から、時刻データに対応するアドレス及び時刻データに対応しないアドレスをそれぞれ読み込むアドレス読込部と、前記アドレス読込部で読み込んだ複数のアドレスから発信データをそれぞれ読み込む発信データ読込部と、前記発信データ読込部で読み込んだ複数の発信データのそれぞれに対して、第1識別データまたは第２識別データをそれぞれ付与する識別データ付与部と、前記識別データ付与部で第1識別データまたは第２識別データがそれぞれ付与された複数の発信データを、前記第1識別データが付与された発信データを発信装置の第1発信手段から発信させ前記第２識別データが付与された発信データを発信装置の第２発信手段から発信させる受信装置に対して送信する送信部と、を具備することを特徴とする送信装置である。
本発明によれば、第1識別データが付与された発信データは第1発信手段から発信され、第２識別データが付与された発信データは第２発信手段から発信されるため、モバイルコンピューティングシステムにおいて、複数の発信データを同時間帯に異なる態様で発信させることができる。
【０００８】
本発明の他の形態は、発信データが記憶された発信データ記憶部と、前記発信データ記憶部に記憶された発信データのアドレスと発信時間を示すショウタイムデータとを対応させて記憶するショウタイムテーブル記憶部と、前記ショウタイムテーブル記憶部から、発信データのアドレスとショウタイムデータとを対応させて読み込むショウタイム読込部と、前記ショウタイム読込部で読み込んだショウタイムデータが示す発信時間だけ、前記ショウタイム読込部で読み込んだ発信データを送信するショウタイム送信部と、を具備することを特徴とする送信装置である。
本発明によれば、発信データに対応するショウタイムデータが示す発信時間だけ発信データを発信させることができるため、発信装置から発信される時間を発信データごと異ならしめることができる。
【０００９】
本発明の他の形態は、メイン画面と、前記メイン画面の左、右、上、及び下の少なくとも一方に配置された1以上のサブ画面と、受信装置から出力された複数の発信データのうち、第1識別データが付与されている発信データを前記メイン画面に表示し、第２識別データが付与されている発信データを前記サブ画面に表示する、ことを特徴とする発信装置である。
本発明によれば、モバイルコンピューティングシステムにおいて、複数の発信データを異なる態様で表示できる。
【００１０】
本発明の他の態様は、発信装置から発信された発信データに含まれる仮データを読み込んだ携帯端末に対して、本データ及びＵＲＬデータを送信することを特徴とする支援装置である。
本発明によれば、仮データを読み込んだ携帯端末に対して、仮データよりも大きなデータ量の本データが送信されるため、発信データのデータ量が大きい場合であっても、これを一度に携帯端末に取り込む必要がなく、携帯端末は、より詳細な情報を得たい場合にだけ、これを得ることができる。よって、本発明によれば、不必要な情報を携帯端末に取り込む必要がなくなり、携帯端末におけるデータ処理の負荷を軽減することができる。
ここで、支援装置は、前記本データ及びＵＲＬデータと位置データとを対応させて記憶する本データ記憶手段と、前記携帯端末の位置を示す位置データを受信する位置データ受信手段と、前記本データ記憶手段から、前記位置データ受信手段で受信した位置データに対応する本データ及びＵＲＬデータを読み込む本データ読込手段と、を具備することができる。たとえば、支援装置は、携帯端末が送信するデータを中継する基地局から基地局ＩＤを受信する基地局ＩＤ受信手段と、前記受信手段で受信した基地局ＩＤを位置情報装置に送信する基地局ＩＤ送信手段と、を備え、位置データ受信手段で前記位置情報装置から前記基地局ＩＤに対応する位置データを受信することができる。また、支援装置は、位置データ受信手段により、GPS（Global Positioning System）などを利用して位置データを取得した携帯端末から当該位置データを受信してもよい。また、支援装置は、携帯端末が送信するデータを中継する基地局から基地局ＩＤを受信する基地局ＩＤ受信手段を備え、GPSを利用して、この基地局IDに対応する位置データを、GPS衛星などから位置データ受信手段で受信してもよい。
このようにすれば、携帯端末は、発信装置が複数存在する場合において、携帯端末に対し、携帯端末の近くにある発信装置から発信された発信データに関連する本データを取得することができる。
また、支援装置は、前記位置データを前記携帯端末に送信する位置データ送信手段を具備することができる。
このようにすれば、携帯端末が支援装置から受信した位置データを情報装置に送信することにより、情報装置において携帯端末の位置を取得でき、この携帯端末の位置に関する情報を用いて、モバイルコンピューティングシステムの利用方法や利用価値などを判断することができる。
【００１１】
本発明の他の形態は、支援装置から本データ及びＵＲＬデータを受信した携帯端末に対して情報データを送信し、前記ＵＲＬデータが示すネットワークアドレスを有することを特徴とする情報装置である。
本発明によれば、モバイルコンピューティングシステムにおいて、発信データの携帯端末による取得を支援する支援装置から本データ及びＵＲＬデータを受信した携帯端末に対して、発信データに関連する情報や発信データの発信主が提供する情報を送信することができる。
ここで、情報装置は、前記携帯端末から、前記携帯端末が送信するデータを中継する基地局の基地局ＩＤ及び位置データの少なくとも一方を受信する受信手段と、基地局ＩＤ及び位置データの少なくとも一方を前記受信手段で受信した場合に、受信回数をカウントするカウント手段と、を具備することができる。
このようにすれば、モバイルコンピューティングシステムにおいて、支援装置から本データ及びＵＲＬデータを受信した携帯端末が、どの基地局を介してまたはどの位置から情報装置にアクセスしてきたかを情報装置において把握できるとともに、特定エリアからのアクセス回数を情報装置において取得できる。
【００１２】
本発明の他の形態は、クライアントコンピュータに広告可能日時データ及び広告可能位置データを送信する第１送信手段と、前記クライアントコンピュータが前記広告可能日時データの中から選択した広告日時データ、及び前記クライアントコンピュータが前記広告可能位置データの中から選択した広告位置データを、前記クライアントコンピュータから受信する第1受信手段と、前記第1受信手段による受信後、基礎情報データの入力フォーマットデータを前記クライアントコンピュータに送信する第２送信手段と、前記クライアントコンピュータから基礎情報データを受信する第２受信手段と、前記第２受信手段で前記基礎情報データを受信した場合に、予約完了通知データを前記クライアントコンピュータに送信する第３送信手段と、を具備することを特徴とする入稿装置である。
本発明によれば、モバイルコンピューティングシステムの送信装置から送信される発信データの一例である広告データを、送信装置に容易に記憶させることが可能となる。すなわち、本発明によれば、広告データを発信装置から発信する日時の空きを示す広告可能日時データと、広告データが発信される発信装置上の位置を示す広告可能位置データと、をクライアントコンピュータにおいて確認できる。そして、クライアントコンピュータは、広告可能日時データの中から広告日時データを選択でき、また、広告可能位置データの中から広告位置データを選択できる。これら選択された広告日時データと広告位置データは、クライアントコンピュータから入稿装置に送信され、入稿装置において記憶される。この入稿装置に記憶された広告日時データと広告位置データとは、送信装置から受信装置に発信データとして送信することができる。
なお、「クライアントコンピュータ」には、固定端末のほか、携帯端末も含まれる。
【００１３】
本発明の他の形態は、第１のＵＲＬデータを携帯端末に取り込ませることが可能な通信装置と、前記通信装置から第1のＵＲＬデータを取り込んだ携帯端末に対して、本データ及び第２のＵＲＬデータを送信し、前記第1のＵＲＬデータが示すネットワークアドレスを有する支援装置と、前記支援装置から本データ及び第２のＵＲＬデータを受信した携帯端末に対して情報データを送信し、前記第２のＵＲＬデータが示すネットワークアドレスを有する情報装置と、を備えたことを特徴とするモバイルコンピューティングシステムである。
本発明によれば、通信装置から第１のＵＲＬデータを携帯端末で取り込めば、この第１のＵＲＬデータが示すネットワークアドレスを有する支援装置から携帯端末に本データが送信され、携帯端末は、この本データにより情報装置にアクセスするために必要な情報を取得できる。したがって、本発明によれば、たとえば、発信データを発信する発信装置の周囲に通信装置を設置しておくことにより、発信データのデータ量が大きい場合であっても、これを携帯端末に取り込む必要がなく、第１のＵＲＬデータを取り込むだけで、より詳細な情報を得るために必要となる電子データを携帯端末のメモリに確保しておくことができる。よって、本発明によれば、不必要な情報を携帯端末に取り込む必要がなくなり、携帯端末におけるデータ処理の負荷を軽減することができる。
ここで、「発信装置」には、画面やスピーカーやポスターや駅の案内板などが含まれる。
また、「発信データ」には画像や音声や文字や記号などが含まれ、「本データ」には画像や音声で示される情報に対応するデータが含まれる。「本データ」は「発信データ」よりも大きくても小さくてもよく、また同じであってもよい。なお、「情報データ」とは、発信装置から発信された発信データに関連する情報を示すデータのほか、発信データの発信主が提供する種々の情報を示すデータが含まれる。
また、「ＵＲＬデータ」は、ＵＲＬに対応するＩＰアドレスなどのネットワークアドレスを示す。「第１のＵＲＬデータ」とは、支援装置のＵＲＬに対応する、支援装置のネットワークアドレスを示すデータである。また、「第２のＵＲＬデータ」とは、情報装置のＵＲＬに対応する、情報装置のネットワークアドレスを示すデータである。
また、「携帯端末」とは、携帯電話やＰＨＳ（Ｐｅｒｓｏｎａｌ  Ｈａｎｄｙｐｈｏｎｅ  Ｓｙｓｔｅｍ）やPDA（ｐｅｒｓｏｎａｌ  ｄｉｇｉｔａｌ  ａｓｓｉｓｔａｎｔ)のほか、通信機能を有するデジタルカメラやデジタルビデオカメラ、ＩＣカードなども含まれる。
【００１４】
本発明の他の形態は、発信装置から発信された発信データに含まれる第１のＵＲＬデータを取り込んだ携帯端末に対して、本データ及び第２のＵＲＬデータを送信し、前記第1のＵＲＬデータが示すネットワークアドレスを有する支援装置と、前記支援装置から本データ及び第２のＵＲＬデータを受信した携帯端末に対して情報データを送信し、前記第２のＵＲＬデータが示すネットワークアドレスを有する情報装置と、を備えたことを特徴とするモバイルコンピューティングシステムである。
本発明によれば、発信装置から発信データに含まれる第１のＵＲＬデータを携帯端末のボタンやカメラなどを用いて携帯端末に取り込めば、この第１のＵＲＬデータが示すネットワークアドレスを有する支援装置から携帯端末に本データが送信され、携帯端末は、この本データにより情報装置にアクセスするために必要な情報を取得できる。したがって、本発明によれば、たとえば、発信データのデータ量が大きい場合であっても、これを携帯端末に取り込む必要がなく、第１のＵＲＬデータを取り込むだけで、より詳細な情報を得るために必要となる電子データを携帯端末のメモリに確保しておくことができる。よって、本発明によれば、不必要な情報を携帯端末に取り込む必要がなくなり、携帯端末におけるデータ処理の負荷を軽減することができる。
ここで、「発信装置」には、画面やスピーカーやポスターや駅の案内板などが含まれる。
また、「発信データ」には画像や音声や文字や記号などが含まれ、「本データ」には画像や音声で示される情報に対応するデータが含まれる。「本データ」は「発信データ」よりも大きくても小さくてもよく、また同じであってもよい。なお、「情報データ」とは、発信装置から発信された発信データに関連する情報を示すデータのほか、発信データの発信主が提供する種々の情報を示すデータが含まれる。
また、「ＵＲＬデータ」は、ＵＲＬに対応するＩＰアドレスなどのネットワークアドレスを示す。「第１のＵＲＬデータ」とは、支援装置のＵＲＬに対応する、支援装置のネットワークアドレスを示すデータである。また、「第２のＵＲＬデータ」とは、情報装置のＵＲＬに対応する、情報装置のネットワークアドレスを示すデータである。
また、「携帯端末」とは、携帯電話やＰＨＳ（Ｐｅｒｓｏｎａｌ  Ｈａｎｄｙｐｈｏｎｅ  Ｓｙｓｔｅｍ）やPDA（ｐｅｒｓｏｎａｌ  ｄｉｇｉｔａｌ  ａｓｓｉｓｔａｎｔ)のほか、通信機能を有するデジタルカメラやデジタルビデオカメラ、ＩＣカードなども含まれる。
【発明の効果】
【００１５】
本発明によれば、ビルの壁面や駅など公共のスペースで表示されるデータを有効に処理できるモバイルコンピューティングシステム、及び、このモバイルコンピューティングシステムで利用される送信装置、発信装置、支援装置、情報装置、入稿装置を提供することができる。
【発明を実施するための最良の形態】
【００１６】
以下に、添付した図面を参照しつつ、本発明を実施するための最良の形態を詳細に説明する。
【００１７】
図１は、本発明に係るモバイルコンピューティングの第1実施形態に係る広告情報配信システム１０００を示す図である。
図１には、送信装置の一例である広告送信サーバ１１００と、受信装置の一例である受信サーバ１２００と、通信装置の一例であるリーダライタ１３００と、発信装置の一例であるディスプレイ１４００と、携帯端末の一例である携帯電話１５００と、支援装置の一例であるデータサーバ１６００、ポータルサイトサーバ１７００と、情報装置の一例であるＥＣ（Ｅｌｅｃｔｒｏｎｉｃ  Ｃｏｍｍｅｒｃｅ）サイトサーバ１８００と、基地局１９００と、が示されている。なお、リーダライタ１３００は、リーダライタサーバ１３１０によって制御されている。
以下、この第1実施形態に係る広告情報配信システム１０００の動作について説明する。
まず、発信データの一例である広告データが広告送信サーバ１１００から受信サーバ１２００に送信される。受信サーバ１２００は、受信した広告データをディスプレイ１４００に表示する。ディスプレイ１４００に表示された広告データで示される情報の一部は、仮データの一例であり、リーダライタ１３００から接触または非接触にて携帯電話１５００に読み込まれる。携帯電話１５００で、読み込んだ情報のより詳細な情報を取得したい場合は、携帯電話１５００の画面に表示される詳細ボタンを押す。この詳細ボタンが押されると、携帯電話１５００は、仮データに含まれるデータサーバ１６００のＩＰアドレスに基づいて、データサーバ１６００にアクセスする。データサーバ１６００は、携帯電話１５００がアクセスしてきた場合、広告データで示された情報や広告データで示された情報に関連する情報などを本データの一例として送信する。この際、データサーバ１６００は、本データの一例に加えて、広告データで示された情報がより詳細に説明されているＵＲＬデータ（ＩＰアドレス）を携帯電話１５００に送信する。携帯電話１５００の画面には、データサーバ１６００から受信した本データが表示されるとともに、データサーバ１６００から受信したＵＲＬデータ(ＩＰアドレス)も表示される。携帯電話１５００の画面に表示されたＵＲＬデータ(ＩＰアドレス)が選択されると、携帯電話１５００は、当該ＵＲＬデータ（ＩＰアドレス）が示すネットワークアドレスを有するＥＣサイトサーバ１８００にアクセスできる。ＥＣサイトサーバ１８００は、ディスプレイ１４００で表示された広告データの発信主などが提供する情報やサービスなどを携帯電話１５００に送信する。
なお、携帯電話１５００は、ディスプレイ１４００に表示されたコードを、カメラで携帯電話１５００に取り込むか、ボタンなどの入力部を介して携帯電話１５００に取り込み、取り込んだコードをＩＰアドレスに変換し、この変換したＩＰアドレスに基づいてポータルサイトサーバ１７００にアクセスし、ポータルサイトサーバ１７００から本データ及びＵＲＬデータ（ＩＰアドレス）を受信することもできる。
この第1実施形態に係る広告情報配信システム１０００によれば、ディスプレイ１４００から発信された発信データそのものをリーダライタ１３００から携帯電話１４００で読み込まずとも、データサーバ１６００またはポータルサイトサーバ１７００から携帯電話１５００に本データが送信され、携帯電話１５００は、この本データによりＥＣサイトサーバ１８００にアクセスするために必要な情報を取得できる。したがって、発信データのデータ量が大きい場合であっても、これを一度に携帯電話１５００に取り込む必要がなく、より詳細な情報を得たい場合にだけ、これをデータサーバ１６００またはポータルサイトサーバ１７００から得ることができる。よって、不必要な情報を携帯電話１５００に取り込む必要がなくなり、携帯電話１５００におけるデータ処理の負荷を軽減することができる。
【００１８】
図２は、本発明に係るモバイルコンピューティングの第２実施形態に係る広告情報配信システム２０００を示す図である。
図２には、送信装置の一例である広告送信サーバ２１００と、受信装置の一例である受信サーバ２２００と、発信装置の一例であるディスプレイ２３００と、携帯端末の一例である携帯電話２４００と、支援装置の一例であるポータルサイトサーバ２５００と、位置情報装置の一例であるキャリアサーバ２６００と、情報装置の一例であるＥＣサイトサーバ２７００と、基地局２８００と、が示されている。
以下、この第２実施形態に係る広告情報配信システム２０００の動作について説明する。
まず、発信データの一例である広告データが広告送信サーバ２１００から受信サーバ２２００に送信される。受信サーバ２２００は、受信した広告データをディスプレイ２３００に表示する。携帯電話２４００は、ディスプレイ２３００に表示されたコードを、カメラで携帯電話２４００に取り込むか、ボタンなどの入力部を介して携帯電話２４００に取り込み、取り込んだコードをＩＰアドレスに変換し、この変換したＩＰアドレスに基づいてポータルサイトサーバ２５００にアクセスする。
図３は、第２実施形態におけるポータルサイトサーバ２５００の機能ブロック例を示す図であり、ポータルサイトサーバ２５００は、広告データで示された情報や広告データで示された情報に関連する情報などの本データの一例と、広告データで示された情報がより詳細に説明されているＵＲＬデータ（ＩＰアドレス）と位置データとを対応させて記憶する本データ記憶手段２５１０と、携帯電話２４００が送信するデータを中継する基地局２８００から基地局ＩＤを受信する基地局ＩＤ受信手段２５２０と、基地局ＩＤ受信手段２５２０で受信した基地局ＩＤをキャリアサーバ２６００に送信する基地局ＩＤ送信手段２５３０と、キャリアサーバ２６００から基地局ＩＤに対応する位置データを受信する位置データ受信手段２５４０と、本データ記憶手段２５１０から、位置データ受信手段２５４０で受信した位置データに対応する本データ及びＵＲＬデータ（ＩＰアドレス）を読み込む本データ読込手段２５５０と、を具備している。このポータルサイトサーバ２５００は、携帯電話２４００からアクセスされた場合、携帯電話２４００との通信を中継する基地局ＩＤを受信し、この受信した基地局ＩＤをキャリアサーバ２６００に送信し、キャリアサーバ２６００から基地局ＩＤに対応する位置データを受信する。そして、ポータルサーバ２６００は、受信した位置データに対応する本データ及びＵＲＬデータ（ＩＰアドレス）を本データ記憶手段２５５０から読み込み、携帯電話２４００に送信する。
第２実施形態に係る広告情報配信システム２０００によれば、携帯電話２４００は、ディスプレイ２３００が複数存在する場合において、基地局ＩＤに基づいて、携帯電話２４００に対し、携帯電話２４００の近くにあるディスプレイ２３００から発信された広告データに関連する本データを取得することができる。
携帯電話２４００の画面には、携帯電話２４００の近くにあるディスプレイ２３００から発信された広告データに関連する本データが表示されるとともに、ＵＲＬデータ(ＩＰアドレス)も表示される。携帯電話２４００の画面に表示されたＵＲＬデータ(ＩＰアドレス)が選択されると、携帯電話２４００は、当該ＵＲＬデータ（ＩＰアドレス）が示すネットワークアドレスを有するＥＣサイトサーバ２７００にアクセスできる。ＥＣサイトサーバ２７００は、ディスプレイ２３００で表示された広告データの発信主などが提供する情報やサービスなどを携帯電話２４００に送信する。  
なお、ポータルサイトサーバ２５００は、キャリアサーバ２６００から受信した位置データを携帯電話２４００に送信することもできる。このようにすれば、携帯電話２４００がポータルサイトサーバ２５００から受信した位置データをＥＣサイトサーバ２７００に送信することにより、ＥＣサイトサーバ２７００において携帯電話２４００の位置を取得でき、この携帯電話２４００の位置に関する情報を用いて、広告情報配信システム２０００の利用方法や利用価値などを判断することができる。
【００１９】
図４は、ディスプレイ１４００、２３００の構成例を示す図である。
ディスプレイ１４００、２３００は、たとえば、メイン画面１４１０、２３１０と、メイン画面１４１０、２３１０の左右に配置された1以上のサブ画面１４２０、２３２０と、から構成することができる。ここで、広告送信サーバから出力された複数の広告データのうち、後述する第1識別データが付与されている広告データをメイン画面１４１０、２３１０に表示し、後述する第２識別データが付与されている発信データをサブ画面１４２０、２３２０に表示することとすれば、複数の発信データを異なる態様で表示できる。
【００２０】
図５は、広告送信サーバ１１００、２１００の機能ブロック図である。
広告送信サーバ１１００、２１００は、広告データが記憶された発信データ記憶部の一例である広告データ記憶部１１１０、２１１０と、広告データ記憶部１１１０、２１１０における広告データのアドレスと時刻データとを対応させて記憶するタイムテーブル記憶部１１２０、２１２０と、タイムテーブル記憶部１１２０、２１２０から、時刻データに対応するアドレス及び時刻データに対応しないアドレスをそれぞれ読み込むアドレス読込部１１３０、２１３０と、アドレス読込部１１３０、２１３０で読み込んだ複数のアドレスから広告データをそれぞれ読み込む発信データ読込部の一例である広告データ読込部１１４０、２１４０と、広告データ読込部１１４０、２１４０で読み込んだ複数の広告データのそれぞれに対して、第1識別データまたは第２識別データをそれぞれ付与する識別データ付与部１１５０、２１５０と、識別データ付与部１１５０、２１５０で第1識別データまたは第２識別データがそれぞれ付与された複数の広告データを、第1識別データが付与された広告データをディスプレイ１４００、２３００の第1発信手段の一例であるメイン画面１４１０、２３１０から発信させ、第２識別データが付与された広告データをディスプレイ１４００、２３００の第２発信手段の一例であるサブ画面１４２０、２３２０から発信させる受信サーバ１２００、２２００に対して送信する送信部１１６０、２１６０と、を具備している。
この広告送信サーバ１１００、２１００によれば、第1識別データが付与された広告データはメイン画面１４１０、２３１０から発信され、第２識別データが付与された広告データはサブ画面１４２０、２３２０から発信されるため、広告情報配信システム１０００、２０００において、複数の広告データを同時間帯に異なる態様で発信させることができる。
図６は、広告送信サーバ１１００、２１００の動作の一例を説明する図である。
広告送信サーバ１１００、２１００は、メイン画面１４１０、２３１０、その左右にサブ画面１４２０、２３２０がディスプレイ１４００、２３００に各４つ配置されている場合に、左側最上部のサブ画面（図４で広告１が表示されている画面）をメイン画面１４１０、２３１０に１５秒間拡大発信し、15秒後は、左側最上部のサブ画面（図４で広告１が表示されている画面）から発信された広告データが、右側最上部のサブ画面（図４で広告５が表示されている画面）から発信されるように受信サーバ１２００、２２００に送信する。なお、広告送信サーバ１１００、２１００は、ディスプレイ１４００、２３００のメイン画面１４１０、２３１０下部から発信するテロップとして、同時にメイン画面１４１０、２３１０に発信された画面のキャッチフレーズを受信サーバ１２００、２２００に送信することができる。
広告送信サーバ１１００、２１００は、各サブ画面１４２０、２３２０から発信される広告データが、順次時計回りに移動するように、広告データを受信サーバ１２００、２２００に送信する。また、広告送信サーバ１１００、２１００は、左側最上部のサブ画面（図４で広告１が表示されている画面）に位置する広告データがメイン画面１４１０、２３１０に１５秒間発信される動作を繰り返し、１２０秒間で８つの広告データを一巡させるように広告データを受信サーバ１２００、２２００に配信する。その後、広告送信サーバ１１００、２１００は、携帯電話１５００、２４００でＥＣサイトサーバ１８００、２７００から情報を取得する方法をインフォメーションとして１５秒間発信する。この一連の動作は、１３５秒となる。この動作を同一発信内容で９回繰り返す。但し、９回目のインフォメーションは省略する。この一連の動作は、１２００秒となる。
このようなディスプレイ１４００、２３００によれば、メイン画面１４１０、２３１０とサブ画面１４２０、２３２０を併用することにより、同時に８個の情報を視認することができ、視認率を高めることができる。同時に、メイン画面１４１０、２３１０で拡大されることによりメイン画面１４１０、２３１０上で発信される広告映像情報の視認率を高めることができる。さらに、８個の広告情報は１３５秒間ディスプレイ上に発信されることなり、広告情報認知率を高めることができる。同時に、リーダライタから取得される情報も複数の８個となり取得率を高めることができる。この一連の映像の直後にインフォメーション映像を付加することによりリーダライタによる情報取得率を高めることができる。
上記一連の映像を９回繰り返すことにより、広告情報映像の視認率、データの取得率を高めることができる。
【００２１】
なお、広告送信サーバ１１００、２１００は、広告データが記憶された発信データ記憶部の一例である広告データ記憶部１１１０、２１１０と、広告データ記憶部に記憶された広告データのアドレスと発信時間を示すショウタイムデータとを対応させて記憶するショウタイムテーブル記憶部１１７０、２１７０と、ショウタイムテーブル記憶部１１７０、２１７０から、広告データのアドレスとショウタイムデータとを対応させて読み込むショウタイム読込部１１８０、２１８０と、ショウタイム読込部１１８０、２１８０で読み込んだショウタイムデータが示す発信時間だけ、ショウタイム読込部１１８０、２１８０で読み込んだ広告データを送信するショウタイム送信部１１９０、２１９０と、を具備することができる。このようにすれば、広告データに対応するショウタイムデータが示す発信時間だけ広告データを発信させることができるため、広告送信サーバ１１００、２１００から発信される時間を広告データごと異ならしめることができる。さらにここで、広告送信サーバ１１００、２１００は、優先度の高い順から、大きなショウタイムSTを付与し、優先度の高い順から広告データを受信サーバに送信し、送信している広告データのショータイムＳＴが０になれば、次の優先度の広告データについて上記処理を繰り返すことも可能である。このようにすれば、優先度の高い広告データに多くの発信時間を割り当て視聴者の広告及びその他情報映像に対する興味を高め、視認率とデータ取得率を高めることができる。
【００２２】
図７は、第1実施形態及び第２実施形態に係る広告情報配信システムにおいて、携帯電話１５００、２４００によるＥＣサイトサーバ１８００、２７００へのアクセス例を示す図である。
携帯電話１５００が通信装置１３００を介して仮データを読み込んだ場合、携帯電話１５００の画面に詳細ボタンが表示される（図７（ａ））。携帯電話１５００において、この詳細ボタンが選択されると、携帯電話１５００がデータサーバ１６００にアクセスし、携帯電話１５００の画面にはデータサーバ１６００から送信されたデータが表示される（図７（ｂ））。このデータサーバ１６００から送信されるデータが表示された携帯電話１５００の画面において、記事が選択されると、携帯電話１５００は、ＥＣサイトサーバ１８００にアクセスし、携帯電話１５００の画面にはECサイトサーバ１８００からダウンロードしたデータが表示される（図７（ｃ））。
他方、通信装置１３００を介して仮データを読み込んだ携帯電話１５００において、詳細ボタンではなく、記事が選択されると、携帯電話１５００は、ＥＣサイトサーバ１８００にアクセスし、携帯電話１５００の画面にはECサイトサーバ１８００からダウンロードしたデータが表示される（図７（ｃ））。
また、ディスプレイ２３００に表示されたコードがカメラやボタンを用いて携帯電話２４００に読み込まれた場合（図７（ｄ））、携帯電話２４００はポータルサイトサーバ２５００にアクセスし、携帯電話２４００の画面にはポータルサイトサーバ２５００から送信されたデータが表示される（図７（ｅ））。このポータルサイトサーバ２５００から送信されるデータが表示された携帯電話２４００の画面において、記事が選択されると、携帯電話は２４００、ＥＣサイトサーバ２７００にアクセスし、携帯電話２４００の画面にはECサイトサーバ２７００からダウンロードしたデータが表示される（図７（ｃ））。
【００２３】
図８、９、１０は、携帯電話１５００がディスプレイ１４００から通信装置１３００を介して仮データを読み込んだ場合における広告情報配信システム１０００の動作をより詳細に説明する図である。
図８に示すように、たとえば、携帯電話１５００が通信装置１３００から仮データを4月17日に読み込んだ場合、携帯電話１５００の画面には簡易なデータが表示される（図８（ａ））。そして、携帯電話１５００は、携帯電話１５００の画面において、「詳細ボタン」が4月17日に選択された場合、データサーバ１６００にアクセスする。この場合、携帯電話１５００には、通信装置１３００から携帯電話１５００に仮データを読み込んだ際にディスプレイ１４００から発信されていた広告データ（４月１７日）に関するデータがデータサーバ１６００から送信され、通信装置１３００から携帯電話１５００に仮データを読み込んだ際にディスプレイ１４００から発信されていた広告データ（４月１７日）に関するデータが携帯電話１５００の画面に表示される（図８（ｂ））。携帯電話１５００は、このデータサーバ１６００から送信されるデータが表示された携帯電話１５００の画面において記事が選択された場合にはＥＣサイトサーバ１８００にアクセスし、携帯電話１５００の画面にはECサイトサーバ１８００からダウンロードしたデータが表示される（図８（ｃ））。また、携帯電話１５００は、「もっと見るボタン」が選択された場合にはポータルサイトサーバ１７００にアクセスし、携帯電話１５００の画面にはECサイトサーバ１８００からダウンロードしたデータが表示される（図８（ｄ））。
また、図９に示すように、たとえば、携帯電話１５００が通信装置１３００から仮データを4月17日に読み込んだ場合、携帯電話１５００の画面には簡易なデータが表示される（図９（ａ））。そして、携帯電話１５００は、携帯電話１５００の画面において、「詳細ボタン」が4月２５日に選択された場合、データサーバ１６００にアクセスする。この場合、携帯電話１５００には、通信装置１３００から携帯電話１５００に仮データを読み込んだ際にディスプレイ１４００から発信されていた広告データに関するデータがデータサーバ１６００から送信され、通信装置１３００から携帯電話１５００に仮データを読み込んだ際にディスプレイ１４００から発信されていた広告データに関するデータが携帯電話１５００の画面に表示される（図９（ｂ））。携帯電話１５００は、このデータサーバ１６００から送信されるデータが表示された携帯電話１５００の画面において記事が選択された場合にはＥＣサイトサーバ１８００にアクセスし、携帯電話１５００の画面にはECサイトサーバ１８００からダウンロードしたデータが表示される（図９（ｃ））。また、携帯電話１５００は、「もっと見るボタン」が選択された場合にはポータルサイトサーバ１７００にアクセスする。ポータルサイトサーバ１７００からは、通信装置１３００から携帯電話１５００に仮データを読み込んだ際にディスプレイ１４００から発信されていた広告データに関するデータがポータルサイトサーバ１７００において更新されていれば、その更新後のデータが送信され、携帯電話１５００の画面に表示される（図９（ｄ））。
また、図１０に示すように、たとえば、携帯電話１５００が通信装置１３００から仮データを4月17日に読み込んだ場合、携帯電話１５００の画面には簡易なデータが表示される（図１０（ａ））。そして、携帯電話１５００は、携帯電話１５００の画面において、「詳細ボタン」が５月１２日に選択された場合、データサーバ１６００にアクセスする。この場合、携帯電話１５００には、通信装置１３００から携帯電話１５００に仮データを読み込んだ際にディスプレイ１４００から発信されていた広告データ（４月１７日）に関するデータの最新のデータ（５月１２日）がデータサーバ１６００から送信され、この最新のデータが携帯電話１５００の画面に表示される（図１０（ｂ））。携帯電話１５００は、このデータサーバ１６００から送信されるデータが表示された携帯電話１５００の画面において記事が選択された場合にはＥＣサイトサーバ１８００にアクセスし、携帯電話１５００の画面にはECサイトサーバ１８００からダウンロードしたデータが表示される（図１０（ｃ））。また、携帯電話１５００は、「もっと見るボタン」が選択された場合にはポータルサイトサーバ１６００にアクセスし、携帯電話１５００の画面にはポータルサイトサーバ１６００からダウンロードしたデータが表示される（図１０（ｄ））。
【００２４】
図１１、１２、１３は、携帯電話１５００、２４００がポータルサイトサーバ１７００、２５００から本データを読み込んだ場合の携帯電話１５００、２４００の画面構成例を示す図である。
図１１に示すように、携帯電話１５００、２４００がポータルサイトサーバ１７００、２５００から本データを読み込んだ場合の携帯電話１５００、２４００の画面には、記事１５１０、２４１０が表示される。記事１５１０、２４１０には、リンクが貼られており、携帯電話１５００、２４００は、このリンクが選択されると、ＥＣサイトサーバ１５００、２４００にアクセスする。記事１５１０、２４１０は、たとえば、広告タイトル１５１１、２４１１と、広告テキスト１５１２、２４１２と、から構成される。ここで、広告タイトル１５１１、２４１１として、企業名・広告名（キャンペーン名など）・サービス名を記載し、広告テキスト１５１２、２４１２として、２〜３行の説明文を掲載する。
図１２に示すように、携帯電話１５００、２４００がポータルサイトサーバ１７００、２５００から本データを読み込んだ場合の携帯電話１５００、２４００の画面には、携帯電話１５００、２４００がポータルサイトサーバ１７００、２５００にアクセスした時間帯によって異なる。たとえば、図１２に示すように、携帯電話１５００、２４００の画面には複数の記事１５１０、２４１０が表示されているが、こらら記事１５１０、２４１０の表示される順序は、所定時間ごとに循環する。具体的には、携帯電話１５００、２４００の画面には、１ユニット（８つの広告データ）に関連する情報のみが表示されており、２０分毎にディスプレイ１４００、２３００から現在発信されているユニットに表示が入れ替わる。１５０秒毎に８件のうち最上部の情報が最下部に移動し、順次二番目以降の情報が最上部に位置する。これは、ポータルサイトサーバから携帯電話１５００、２４００に送信されるデータを所定時間ごとに更新することなどにより実現できる。
図１３に示すように、ポータルサイトサーバ１７００、２５００から携帯電話１５００、２４００に送信され、携帯電話１５００、２４００の画面で表示される本データは、携帯電話１５００、２４００がポータルサイトサーバ１７００、２５００にアクセスした時間帯に、ディスプレイ１４００、２３００に表示されている広告データに関連する情報とすることができる。
【００２５】
図１４は、広告送信サーバ１１００、２１００から送信する広告データを入稿される入稿装置２９００の機能ブロック例を示す図である。
入稿装置２９００は、クライアントコンピュータの一例であるパーソナルコンピュータに広告可能日時データの一例である空き枠及び広告可能位置データの一例である広告枠を送信する第１送信手段２９１０と、パーソナルコンピュータが空き枠の中から選択した広告日時データ、及びパーソナルコンピュータが広告枠の中から選択した広告位置データを、パーソナルコンピュータから受信する第1受信手段２９２０と、第1受信手段２９２０による受信後、基礎情報データの入力フォーマットデータをパーソナルコンピュータに送信する第２送信手段２９３０と、パーソナルコンピュータから基礎情報データを受信する第２受信手段２９４０と、第２受信手段２９４０で基礎情報データを受信した場合に、予約完了通知データをパーソナルコンピュータに送信する第３送信手段２９５０と、を具備する。
この入稿装置２９００によれば、広告情報配信システム１０００、２０００の広告送信サーバ１１００，２１００から送信される広告データを、広告送信サーバ１１００、２１００に容易に記憶させることが可能となる。すなわち、広告データを広告送信サーバ１１００、２１００から発信する日時の空きを示す空き枠と、広告送信サーバ１１００、２１００からの広告データをディスプレイにおいて発信可能な位置を示す広告枠と、をパーソナルコンピュータにおいて確認できる。そして、パーソナルコンピュータは、空き枠の中から広告日時データを選択でき、また、広告枠の中から広告位置データを選択できる。これら選択された広告日時データと広告位置データは、パーソナルコンピュータから入稿装置２９００に送信され、入稿装置２９００において記憶される。この入稿装置２９００に記憶された広告日時データと広告位置データとは、広告送信サーバ１１００、２１００から受信サーバ１２００、２２００に送信することができる。
【００２６】
図１５、１６、１７は、入稿装置２９００の動作を説明するための図である。
まず、入稿装置２９００は、パーソナルコンピュータからログインＩＤとパスワードを受信してパーソナルコンピュータのログインを許可するか否かを判断する（図１５（ａ））。
次に、入稿装置２９００は、パーソナルコンピュータのログインを許可する場合、パーソナルコンピュータに空き枠と広告枠とを送信する（図１５（ｂ））。パーソナルコンピュータは、空き枠と広告枠とを受信した場合、これらをモニタに表示し、空き枠の中から広告日時データを選択し、広告枠の中から広告位置データを選択する（図１６（ａ））。選択された広告日時データ及び広告位置データは、パーソナルコンピュータのモニタに表示され（図１６（ｂ））、「次へ」ボタンが選択されると、入稿装置２９００に送信される。
次に、入稿装置２９００は、基礎情報データの入力フォーマットデータをパーソナルコンピュータに送信する（図１５（ｃ））。基礎情報データの入力フォーマットデータとは、たとえば、図１７に示すような「広告タイトル」、「広告テキスト」、「リンクＵＲＬ」（ＥＣサイトサーバのＵＲＬ）、「動画データ」などを入力する欄などを表示するデータである。入力された基礎情報データは、入稿装置２９００に送信される（図１５（ｄ））。
次に、基礎情報データが入稿装置２９００に入力された場合（図１５（ｅ）、入稿装置２９００は、予約完了メールをパーソナルコンピュータに送信する（図１５（ｇ））。なお、基礎情報データにおける「動画データ」がデジタルデータではなく、テープ素材などの場合は、テープ素材などが郵送されてきた場合に、入稿装置２９００のオペレータや管理者が仮予約完了メールをパーソナルコンピュータに送信する（図１５（ｆ）、（ｈ））。
次に、入稿装置２９００は、基礎情報データの内容チェック完了データが記憶手段に記憶された場合（図１５（ｉ））に確定メール（図１５（ｋ））をパーソナルコンピュータに送信し、また、動画データが郵送されてきた場合には、この動画データの内容チェック完了データが記憶手段に記憶され、動画データが変換されたデジタルデータが記憶手段に記憶された後（図１５（ｊ））に、確定メールをパーソナルコンピュータに送信する（図１５（ｌ））。
次に、入稿装置２９００は、確定メールを受信したパーソナルコンピュータにて確定を確認する確定確認がユーザにより行われ（図１５（ｍ））、パーソナルコンピュータから基礎情報データの変更（図１５（ｎ））または選択枠のキャンセル（図１５（ｏ））がある場合には、当該変更又はキャンセルの通知を受信する。
【００２７】
図１８、１９は、本発明に係るモバイルコンピューティングの第３実施形態に係る広告情報配信システム３０００を説明する図である。
第３実施形態では、リーダライタが携帯電話３１００の固体識別番号を読み込み、ポータルサイトサーバ３２００が、リーダライタから携帯電話３１００の固体識別番号を受信し、ポータルサイトサーバ３２００が、この受信した固体識別番号に対応させてディスプレイから発信された広告データの広告データＩＤ（発信データＩＤの一例）を記憶し、携帯電話３２００から固体識別番号とユーザＩＤとパスワードとを受信した場合に、固体識別番号に対応させて広告データとユーザＩＤとパスワードとを記憶し、パーソナルコンピュータ３３００からユーザＩＤとパスワードとを受信した場合に、ユーザＩＤとパスワードとに対応させて記憶している広告データＩＤをキーとして取得されるデータをパーソナルコンピュータ３３００に送信する点で、第1実施形態及び第２実施形態と異なる。第３実施形態によれば、ディスプレイから送信された広告データに関連する情報を携帯電話３１００を介してポータルサイトサーバ３２００に記憶させ、この記憶させた情報をパーソナルコンピュータ３３００から取り出すことができる。したがって、本発明によれば、ディスプレイから送信された広告データに関連する情報を、パーソナルコンピュータ３３００から容易に閲覧できる広告情報配信システム３０００を構築することができる。
なお、「広告データＩＤをキーとして取得されるデータ」は、ポータルサイトサーバ３２００において広告データＩＤと対応させて記憶されていてもよいし、ポータルサイトサーバ３２００にあるデータベース（ＤＢ）において広告データＩＤと対応させて記憶されていてもよい。
【００２８】
なお、第1、２、３実施形態においては、ＥＣサイトサーバが、携帯電話から、携帯電話が送信するデータを中継する基地局の基地局ＩＤ及び位置識別データの少なくとも一方を受信する受信手段と、基地局ＩＤ及び位置識別データの少なくとも一方を受信手段で受信した場合に、受信回数をカウントするカウント手段と、を具備することができる。このようにすれば、広告情報配信システムにおいて、ポータルサイトサーバから本データ及びＵＲＬデータを受信した携帯電話が、どの基地局を介してＥＣサイトサーバにアクセスしてきたかをＥＣサイトサーバにおいて把握できるとともに、基地局ごとの中継回数をＥＣサイトサーバにおいて取得できる。
【００２９】
以上説明した第1、２、３実施形態に係る広告情報配信システムによれば、広告配信サーバがネットワークを介して受信サーバに広告及びその他映像情報を配信することができる。受信サーバは、ディスプレイに広告及びその他映像情報を表示する。ディスプレイの広告及びその他情報映像と同期するデータをリーダライタサーバからリーダライタに配信し、携帯電話を用いてデータを取得し、さらに取得したデータ上の詳細ボタンをクリックすることによりデータサーバにアクセスし、先に取得したデータに上書き取得する。そのデータに基づいて、EＣサイトサーバにアクセスする。この際は、基地局を経由する。
また、第1、２、３実施形態に係る広告情報配信システムによれば、ディスプレイに表示されるコードやポータルサイトのＵＲＬを打ち込むことにより、携帯電話からポータルサイトサーバにアクセスし、携帯電話から、ディスプレイの広告及びその他情報映像と同機するポータルサイトデータに基づいて、EＣサイトサーバにアクセスできる。この際は、基地局を経由する。
また、第1、２、３実施形態に係る広告情報配信システムによれば、携帯電話で、コード、URLの打ち込みによりポータルサイトサーバにアクセスし、携帯電話の位置情報を送信し、ポータルサイトサーバは、キャリアサーバ、携帯電話の位置を特定して携帯電話の位置付近の大型ディスプレイに発信されている広告映像情報に限定し、携帯電話は、そのデータを取得し、EＣサイトサーバにアクセスできる。この際は、基地局を経由する。
したがって、第1、２、３実施形態に係る広告情報配信システムによれば、広告送信サーバ、受信サーバ、ディスプレイの一連のシステムにより、ディスプレイに動画による広告及びその他映像情報を発信することができる。また、リーダライタ、データサーバの一連のシステムに携帯電話でアクセスすることにより、ディスプレイに発信される広告映像情報と同期する情報をポータルサイトサーバから携帯電話に送信することができ、携帯電話は、データを簡便に取得することができる。さらに、携帯電話は、ポータルサイトサーバから取得したデータを用いて簡便にＥＣサイトサーバにアクセスすることができる。その際、携帯電話とＥＣサイトサーバとの通信を基地局が中継することにより広告効果の測定をすることが可能となる。
広告及びその他情報映像がビル上部壁面など大型ディスプレイで発信される場合に、携帯電話からポータルサイトサーバにアクセスすることにより、大型ディスプレイに発信されている広告情報データを取得することができる。この際、ポータルサイトサーバから配信されるデータは、携帯電話から位置情報を送信することにより、当該ディスプレイに局限されたものとなる。さらに、携帯電話は、ポータルサイトサーバから取得したデータを用いて簡便にＥＣサイトサーバにアクセスすることができる。その際、携帯電話とＥＣサイトサーバとの通信を基地局が中継することにより広告効果の測定をすることが可能となる。
【００３０】
また、第1、２、３実施形態に係る広告情報配信システムによれば、ディスプレイの広告映像と同期するデータをリーダライタを介して携帯電話で取得することにより、簡便にデータを取得でき、また、この取得したデータを用いて簡便にＥコマースコンピュータに簡便なアクセスをすることができる。また、ディスプレイを用いることにより、同一場所で時間帯により複数の広告及びその他情報映像と同期する複数のデータを取得することが可能となり、データの取得率を高めることができ、かつ広告クライアントの費用負担を軽減することができる。
【００３１】
また、第1、２、３実施形態に係る広告情報配信システムによれば、広告映像情報がビル上部壁面など大型ディスプレイで発信される場合に、携帯電話からポータルサイトサーバにアクセスすることにより、大型ディスプレイに発信されている広告情報データを取得することができる。この際、ポータルサイトサーバにより配信されるデータは、携帯電話から位置情報を送信することにより、当該ディスプレイに局限されたものとなる。さらに、取得したデータを用いて簡便にＥＣサイトサーバにアクセスすることができる。その際、携帯電話とＥＣサイトサーバとの通信を基地局が中継することにより広告効果の測定をすることが可能となる。したがって、第1、２、３実施形態に係る広告情報配信システムによれば、従来、広告映像情報を発信するに止まった大型ＬＥＤディスプレイによる広告手法にポータルサイトサーバによるデータ配信を連携させることにより、広告情報に対する認知率、及びＥＣサイトのアクセス率・利用率を向上させることができる。また、どの場所の大型ＬＥＤ画面を視認した利用者であるかを特定することにより、広告効果の測定を可能とする。
【００３２】
また、第1、２、３実施形態に係る広告情報配信システムによれば、広告及びその他情報映像がビル上部壁面など大型ディスプレイで発信される場合に、携帯電話からポータルサイトサーバにアクセスすることにより、大型ディスプレイに発信されている広告情報データを取得することができる。この際、ポータルサイトサーバにより配信されるデータは、携帯電話から位置情報を送信することにより、当該ディスプレイに局限されたものとなる。さらに、取得したデータを用いて簡便にＥＣサイトサーバにアクセスすることができる。その際、携帯電話とＥＣサイトサーバとの通信を基地局が中継することにより広告効果の測定をすることが可能となる。したがって、第1、２、３実施形態に係る広告情報配信システムによれば、ビル上部壁面など大型ディスプレイで発信される映像情報について、その映像情報を簡便に取得、或いは更に情報を深めるために利用できるインターネット上のサイトに簡便にアクセスすることができる。もって、ビル上部壁面など大型ディスプレイの利用価値を大幅に向上させることができる。
【００３３】
また、第1、２、３実施形態に係る広告情報配信システムによれば、携帯電話がリーダライタからデータを取得する際に、携帯電話の固体識別番号を取得する。併せて、ポータルサイトサーバ上に携帯電話に対応するフォルダ（マイページ）を自動設置し、携帯電話が取得したデータと同一のデータを保存する。以後、同一の携帯電話が取得したデータは順次、固体識別番号により分類され保存される。その後、携帯電話よりポータルサイトサーバにアクセスし、マイページ登録画面上に、ユーザＩＤ、パスワードを登録することにより、ポータルサイトサーバは、携帯電話の固体識別番号、ユーザＩＤ、パスワードのデータを保存する。ＰＣからポータルサイトサーバにアクセスし、マイページ閲覧画面上に携帯電話で登録したユーザＩＤ、パスワードを入力することによりマイページにアクセスすることができる。したがって、第1、２、３実施形態に係る広告情報配信システムによれば、携帯電話を情報取得のためのフックツール、ＰＣをフックした情報を端緒とした調査・検索ツール、さらに携帯電話及びＰＣをＥＣサイトのサービス申し込みの決済ツールとして、連続的に利用することが可能となり、携帯電話、ＰＣの其々の利便性に即した利用が可能となる。
【００３４】
また、第1、２、３実施形態に係る広告情報配信システムによれば、ディスプレイにおいて、メイン画面１、その左右にサブ画面を各４配し、左側最上部のサブ画面がメイン画面に１５秒間拡大発信され、右側最上部のサブ画面とすることができる。同時に、メイン画面に発信された画面のキャッチフレーズがテロップでメイン画面下部に流れる。順次各サブ画面は、時計回りに移動し、左側最上部に位置するとメイン画面１５秒間発信される動作を繰り返し、１２０秒間で一巡する。その後、携帯電話で情報端末から情報を取得する方法をインフォメーションとして１５秒間発信する（１ユニット）。この動作を同一発信内容で９回繰り返す。但し、９回目のインフォメーションは省略する。この一連の動作は、１２００秒となる（１パック）広告構成として、１パックを９パック発信する（１クール）１ディスプレイ毎に１クールを繰り返し発信し、同時に３箇所のディスプレイで同一内容の発信を行う。
【００３５】
なお、上記の説明では、支援装置の一例としてデータサーバやポータルサイトサーバを説明したが、支援装置としては、たとえば、アフリエイト情報を提供するアフリエイトサーバを用いることもできる。
【００３６】
なお、上記の実施の形態では、携帯電話が接触または非接触でデータを読み取る通信装置は、たとえば、通信サーバからデータを受信し、この受信した情報を携帯電話に送信することができる。
【００３７】
なお、上記の実施の形態では、携帯電話の位置を基地局IDを用いて取得したが、携帯電話などの携帯端末の位置は、たとえば、支援装置が、携帯端末が送信するデータを中継する基地局から基地局ＩＤを受信する基地局ＩＤ受信手段と、前記受信手段で受信した基地局ＩＤを位置情報装置に送信する基地局ＩＤ送信手段と、を備え、位置データ受信手段で前記位置情報装置から前記基地局ＩＤに対応する位置データを受信することにより取得することもできる。また、支援装置は、位置データ受信手段により、GPSなどを利用して位置データを取得した携帯端末から当該位置データを受信してもよい。また、支援装置は、携帯端末が送信するデータを中継する基地局から基地局ＩＤを受信する基地局ＩＤ受信手段を備え、GPSを利用して、この基地局IDに対応する位置データを、GPS衛星などから位置データ受信手段で受信してもよい。
【００３８】
図２０は、本発明に係るモバイルコンピューティングの第４実施形態に係る案内情報配信システム４０００を示す図である。
図２０には、送信装置の一例であるポータルサイトURLデータ送信サーバ４１００と、受信装置の一例である受信サーバ４２００と、通信装置の一例であるリーダライタ４３００と、発信装置の一例である駅のホームに設置された出口案内板４４００と、携帯端末の一例である携帯電話４５００と、ポータルサイトサーバ４６００と、が示されている。
以下、この第４実施形態に係る案内情報配信システム４０００の動作について説明する。
まず、ポータルサイトサーバのネットワークアドレスに対応したURLを示すポータルサイトURLデータ（第1のURLデータの一例）が、ポータルサイトURLデータ送信サーバ４１００から受信サーバ４２００に送信される。受信サーバ４２００は、受信したポータルサイトURLデータをリーダライタ４３００に出力する。リーダライタ４３００は、駅のホームに設置されている出口案内板４４００の近傍に設置されており、接触または非接触にて携帯電話４５００にポータルサイトURLデータを取り込ませることができる。リーダライタ４３００からポータルサイトURLデータを取り込んだ携帯電話４５００は、このポータルサイトURLデータが示すネットワークアドレスを有するポータルサイトサーバ４６００から、出口案内板４４００に表示されている情報に関する情報を示すデータ（本データの一例）と、これら出口案内板４４００に表示されている情報のより詳細な情報を携帯電話４５００に送信可能な案内情報サーバ（図示せず）のURLデータ（第２のURLデータの一例）を受信する。
図２１は、第４実施形態に係る案内情報配信システム４０００における携帯電話４５００の画面遷移の概略を示す図である。
図２１に示すように、携帯電話４５００は、リーダライタ４３００から、複数のポータルサイトURLデータを取得した場合、その画面に、複数のポータルサイトURLデータを表示する（図２１の画面４５１０）。複数のポータルサイトURLデータは、ポータルサイトサーバ４６００のネットワークアドレスに対応し（より具体的には、ポータルサイトサーバ４６００の記憶手段に格納されている各HTMLドキュメントのネットワークアドレスにそれぞれ対応し）ている。ポータルサイトサーバ４６００の記憶手段に格納されている各HTMLドキュメントは、本データの一例であり、出口案内板４４００に表示されている複数の情報（例えば、いろは銀行、越後デパート、国立博物館、特許庁など）にそれぞれ関連する電子データである。
携帯電話４５００において、その画面４５１０に表示されるポータルサイトURLデータが選択された場合、携帯電話４５００は、ポータルサイトサーバ４６００から、選択されたポータルサイトURLデータに対応するHTMLドキュメントを受信し、画面に表示する（図２１の画面４５２０）。この際、携帯電話４５００は、受信したHTMLドキュメントに対応する案内情報サーバ（図示せず）のURLデータ（第２のURLデータの一例）をポータルサイトサーバ４５００から受信する。案内情報サーバ（図示せず）は、たとえば、HTMLドキュメントが「いろは銀行」に関する情報を示すものである場合、「いろは銀行」が運営するサーバであり、HTMLドキュメントが「越後デパート」に関する情報を示すものである場合、「越後デパート」が運営するサーバである。
携帯電話４５００において、その画面４５２０に表示される案内情報サーバ（図示せず）のURLデータが選択された場合、携帯電話４５００は、案内情報サーバ（図示せず）のURLデータから、データを受信し、画面に表示する（図２１の画面４５３０）。なお、第4の実施の形態においては、携帯電話４５００が、画面４５２０において、ポータルサイトサーバ４６００から更に詳細な情報を受信し、その後、案内情報サーバ（図示せず）にアクセスする構成を採ることも可能である。
以上説明した第4の実施の形態に係る案内情報配信システム４０００によれば、リーダライタ４３００からポータルサイトURLデータを携帯電話４５００で取り込めば、このポータルサイトURLデータが示すネットワークアドレスを有するポータルサイトサーバ４６００（より具体的には、ポータルサイトURLデータが示すネットワークアドレスを有する、HTMLドキュメントが記憶されたポータルサイトサーバの記憶手段）から、携帯電話４５００にHTMLドキュメントが送信される。この際、携帯電話４５００は、受信したHTMLドキュメントに対応する案内情報サーバ（図示せず）のURLデータ（第２のURLデータの一例）をポータルサイトサーバ４５００から受信し、案内情報サーバ（図示せず）にアクセスするために必要な情報を取得できる。したがって、第4の実施の形態に係る案内情報配信システム４０００によれば、出口案内板４４００のデータ量が大きい場合（スペースなどの問題から出口案内板４４００に表示しなかった潜在的なデータのデータ量も含む）であっても、これを携帯電話４５００に取り込む必要がなく、ポータルサイトURLデータを取り込むだけで、より詳細な情報を得るために必要となる電子データ（ポータルサイトサーバ４６００においてHTMLドキュメントが記憶されている記憶手段のネットワークアドレスなど）を携帯電話４５００のメモリに確保しておくことができる。よって、第4の実施の形態に係る案内情報配信システム４０００によれば、不必要な情報を携帯電話４５００に取り込む必要がなくなり、携帯電話４５００におけるデータ処理の負荷を軽減することができる。
【００３９】
なお、本発明の他の形態に係るモバイルコンピューティングシステムは、発信装置から発信された発信データに含まれる第１のＵＲＬデータを取り込んだ携帯端末に対して、本データ及び第２のＵＲＬデータを送信し、第1のＵＲＬデータが示すネットワークアドレスを有する支援装置と、支援装置から本データ及び第２のＵＲＬデータを受信した携帯端末に対して情報データを送信し、第２のＵＲＬデータが示すネットワークアドレスを有する情報装置と、を備えることも可能である。
このような形態とすれば、発信装置から発信データに含まれる第１のＵＲＬデータを携帯端末のボタンやカメラなどを用いて携帯端末に取り込めば、この第１のＵＲＬデータが示すネットワークアドレスを有する支援装置から携帯端末に本データが送信され、携帯端末は、この本データにより情報装置にアクセスするために必要な情報を取得できる。したがって、この形態によれば、たとえば、発信データのデータ量が大きい場合であっても、これを携帯端末に取り込む必要がなく、第１のＵＲＬデータを取り込むだけで、より詳細な情報を得るために必要となる電子データを携帯端末のメモリに確保しておくことができる。よって、この形態によれば、不必要な情報を携帯端末に取り込む必要がなくなり、携帯端末におけるデータ処理の負荷を軽減することができる。
【００４０】
以上、本発明を実施するための最良の形態について説明したが、これらは、すべて、本発明の実施の形態に関する説明であるから、本発明は、上記の説明によって何ら限定されない。
【産業上の利用可能性】
【００４１】
本発明は、携帯端末を用いたコンピューティングを可能とするすべてのモバイルコンピューティングシステムに利用することができる。
【図面の簡単な説明】
【００４２】
【図１】本発明に係るモバイルコンピューティングの第1実施形態に係る広告情報配信システムを示す図である。
【図２】本発明に係るモバイルコンピューティングの第２実施形態に係る広告情報配信システムを示す図である。
【図３】第２実施形態におけるポータルサイトサーバの機能ブロック例を示す図である。
【図４】ディスプレイの構成例を示す図である。
【図５】広告送信サーバの機能ブロック図である。
【図６】広告送信サーバの動作の一例を説明する図である。
【図７】第1実施形態及び第２実施形態に係る広告情報配信システムにおいて、携帯電話によるＥＣサイトサーバへのアクセス例を示す図である。
【図８】携帯電話がディスプレイから通信装置を介して仮データを読み込んだ場合における広告情報配信システムの動作をより詳細に説明する図（その１）である。
【図９】携帯電話がディスプレイから通信装置を介して仮データを読み込んだ場合における広告情報配信システムの動作をより詳細に説明する図（その２）である。
【図１０】携帯電話がディスプレイから通信装置を介して仮データを読み込んだ場合における広告情報配信システムの動作をより詳細に説明する図（その３）である。
【図１１】携帯電話がポータルサイトサーバから本データを読み込んだ場合の携帯電話の画面構成例を示す図（その１）である。
【図１２】携帯電話がポータルサイトサーバから本データを読み込んだ場合の携帯電話の画面構成例を示す図（その２）である。
【図１３】携帯電話がポータルサイトサーバから本データを読み込んだ場合の携帯電話の画面構成例を示す図（その３）である。
【図１４】広告送信サーバから送信する広告データを入稿される入稿装置の機能ブロック例を示す図である。
【図１５】入稿装置の動作を説明するための図（その１）である。
【図１６】入稿装置の動作を説明するための図（その２）である。
【図１７】入稿装置の動作を説明するための図（その３）である。
【図１８】本発明に係るモバイルコンピューティングの第３実施形態に係る広告情報配信システムを説明する図（その１）である。
【図１９】本発明に係るモバイルコンピューティングの第３実施形態に係る広告情報配信システムを説明する図（その１）である。
【図２０】本発明に係るモバイルコンピューティングの第４実施形態に係る案内情報配信システム４０００を示す図である。
【図２１】第４実施形態に係る案内情報配信システム４０００における携帯電話４５００の画面遷移の概略を示す図である。
【符号の説明】
【００４３】
１０００・・・広告情報配信システム、１１００・・・広告送信サーバ、１２００・・・受信サーバ、１３００・・・リーダライタ、１３１０・・・リーダライタサーバ、１４００・・・ディスプレイ、１５００・・・携帯電話、１６００・・・データサーバ、１７００・・・ポータルサイトサーバ、１８００・・・ＥＣ（Ｅｌｅｃｔｒｏｎｉｃ  Ｃｏｍｍｅｒｃｅ）サイトサーバ、１９００・・・基地局、２０００・・・広告情報配信システム、２１００・・・広告送信サーバ、２２００・・・受信サーバ、２３００・・・ディスプレイ、２４００・・・携帯電話、２５００・・・ポータルサイトサーバ、２５１０・・・本データ記憶手段、２５２０・・・基地局ＩＤ受信手段、２５３０・・・基地局ＩＤ送信手段、２５４０・・・位置データ受信手段、２５５０・・・本データ読込手段、２６００・・・キャリアサーバ、２７００・・・ＥＣサイトサーバ、２８００・・・基地局、１４１０、２３１０・・・メイン画面、１４２０、２３２０・・・サブ画面、１１１０、２１１０・・・広告データ記憶部、１１２０、２１２０・・・タイムテーブル記憶部、１１３０、２１３０・・・アドレス読込部、１１４０、２１４０・・・広告データ読込部、１１５０、２１５０・・・識別データ付与部、１１６０、２１６０・・・送信部、１１１０、２１１０・・・広告データ記憶部、１１７０、２１７０・・・ショウタイムテーブル記憶部、１１８０、２１８０・・・ショウタイム読込部、１１９０、２１９０・・・ショウタイム送信部、１５１０、２４１０・・・記事、１５１１、２４１１・・・広告タイトル、１５１２、２４１２・・・広告テキスト、２９１０・・・第１送信手段、２９２０・・・第1受信手段、２９３０・・・第２送信手段、２９４０・・・第２受信手段、２９５０・・・第３送信手段、２９００・・・入稿装置、３０００・・・広告情報配信システム、３１００・・・携帯電話、３２００・・・ポータルサイトサーバ、３３００・・・パーソナルコンピュータ、４０００・・・案内情報配信システム、４１００・・・ポータルサイトURLデータ送信サーバ、４２００・・・受信サーバ、４３００・・・リーダライタ、４４００・・・出口案内板、４５００・・・携帯電話、４６００・・・ポータルサイトサーバ、４５１０・・・携帯電話の画面、４５２０・・・携帯電話の画面、４５３０・・・携帯電話の画面
【図１】
2007305081.tif 000003
【図２】
2007305081.tif 000004
【図３】
2007305081.tif 000005
【図４】
2007305081.tif 000006
【図５】
2007305081.tif 000007
【図６】
2007305081.tif 000008
【図７】
2007305081.tif 000009
【図８】
2007305081.tif 000010
【図９】
2007305081.tif 000011
【図１０】
2007305081.tif 000012
【図１１】
2007305081.tif 000013
【図１２】
2007305081.tif 000014
【図１３】
2007305081.tif 000015
【図１４】
2007305081.tif 000016
【図１５】
2007305081.tif 000017
【図１６】
2007305081.tif 000018
【図１７】
2007305081.tif 000019
【図１８】
2007305081.tif 000020
【図１９】
2007305081.tif 000021
【図２０】
2007305081.tif 000022
【図２１】
2007305081.tif 000023